(57)【要約】【課題】  支持軸の軸方向に発生する密着型スキャナのがた付きを防止することで、画像データの読み取り性能を高めることができるカードリーダを提供する。【解決手段】  密着型スキャナ５と加圧機構６と開閉機構７とを備えるとともに、開閉機構７は、本体フレーム１３に固定された支持軸１４によって揺動可能に取り付けられた揺動フレーム１５と、揺動フレーム１５に固定され密着型スキャナ５を保持するホルダ１６と、本体フレーム１３に固定された固定フレーム１７にホルダ１６及び揺動フレーム１５を係止する係止手段１８とを備えたカードリーダにおいて、ホルダ１６または揺動フレーム１５の少なくともいずれか一方を支持軸１４の軸方向へ付勢する付勢手段１０を有することを特徴とする。【選択図】     図３
2005027205.tif 000002
【特許請求の範囲】
【請求項１】
モータで駆動されるカード搬送手段によりカードがカード搬送路内を搬送されるカードリーダであって、
搬送中のカード表面の模様を読み取る密着型スキャナと、その密着型スキャナを前記カードに密着するように加圧する加圧機構と、前記密着型スキャナ及び前記加圧機構を前記カード搬送路に対して近接・離間させる開閉機構とを備えるとともに、
前記開閉機構は、前記カードの搬送方向と略直交方向で本体フレームに固定された支持軸によって前記本体フレームに揺動可能に取り付けられた揺動フレームと、その揺動フレームに固定され前記密着型スキャナを保持するホルダと、前記本体フレームに固定された固定フレームに前記ホルダ及び前記揺動フレームを係止する係止手段とを備えたカードリーダにおいて、
前記ホルダまたは前記揺動フレームの少なくともいずれか一方を前記支持軸の軸方向へ付勢する付勢手段を有することを特徴とするカードリーダ。
【請求項２】
前記本体フレームは前記密着型スキャナ及び縮小光学型スキャナが取付可能に構成された共通フレームであり、
前記係止手段による係止が解除された前記ホルダ及び前記揺動フレームを、前記支持軸の軸方向へ移動させることで、前記開閉機構が開閉可能となるように構成されているカードリーダであって、
前記付勢手段は、前記開閉機構が開閉可能となる方向に前記ホルダまたは前記揺動フレームの少なくともいずれか一方を付勢するように構成されていることを特徴とする請求項１記載のカードリーダ。
【請求項３】
前記付勢手段は、前記支持軸に挿通された圧縮コイルバネであり、その圧縮コイルバネの最大圧縮位置で前記ホルダ及び前記揺動フレームが前記係止手段によって前記固定フレームに係止されるように構成されていることを特徴とする請求項１または２に記載のカードリーダ。
【発明の詳細な説明】
【技術分野】
【０００１】
本発明は、カードリーダに関する。更に詳述すると、本発明は処理したカードの表面を撮影して画像データを取得する密着型スキャナを備えるカードリーダの画像取り込み部の改良に関するものである。
【背景技術】
【０００２】
例えば銀行のＡＴＭ等で使用されているカードリーダとして、モータで駆動されるカード搬送手段によりカードがカード搬送路内を搬送されるカードリーダが知られている。また、処理したカードのエンボス文字等のようなカード表面の模様を撮影して画像データを取得するイメージスキャナを備えるカードリーダも知られている。上記イメージスキャナとしては、一般的に、縮小光学型スキャナと密着型スキャナが採用されている。
【０００３】
ここで、上記密着型スキャナを備えたカードリーダは、例えば、密着型スキャナをカードに密着するように加圧する加圧機構と、密着型スキャナ及び加圧機構をカード搬送路に対して近接・離間する方向に移動可能な開閉機構とを備えている。また、上記開閉機構は、カードの搬送方向と略直交方向で本体フレームに固定された支持軸によって本体フレームに揺動可能に取り付けられた揺動フレームと、その揺動フレームに固定されたホルダと、揺動フレーム及びホルダを固定フレームに係止する係止手段とを備えている（例えば特許文献１、特許文献２参照。）。
【０００４】
上記構成を採用した従来のカードリーダでは、上述した加圧機構は密着型スキャナを搬送されるカードのカード表面に押し付けている。そのため、カードが湾曲していても、この加圧機構によりカードの湾曲が矯正されつつ画像取込みが行われる。従って、湾曲したカードに対しても読み取り性能の向上を図ることができる。  
【０００５】
また、密着型スキャナは、その読み取り部が搬送されるカードに近接した位置で使用される。従って、読み取り部のクリーニング等のメンテナンス性を考慮して、上記の開閉機構が採用されている。
【０００６】
【特許文献１】特開２００２−３４２７２３号公報
【特許文献２】特開２００２−３４２７５１号公報
【発明の開示】
【発明が解決しようとする課題】
【０００７】
しかし、上述した係止手段の構成上、カードの湾曲状態によっては、密着型スキャナによる画像読み込み時にカードの搬送方向と直交方向となる支持軸の軸方向にも密着型スキャナのがた付きが発生する。上述した加圧機構によって、カード厚さ方向の密着型スキャナのがた付きを防止することは可能である。しかし、その加圧機構では、支持軸の軸方向に発生するがた付きは完全に抑制することは出来ず、画像データの読み取り性能が低下する。
【０００８】
また、イメージスキャナを備えたカードリーダにおいては、使用されるカードや用途によって、上述した縮小光学型スキャナと密着型スキャナとを使い分ける必要が生じることがある。このような場合には、可能な限り共通部品を使用してカードリーダの製品コストを下げるため、縮小光学型スキャナと密着型スキャナとの交換が可能な構成が採用される。すなわち、イメージスキャナが取付けられる本体フレームを共通フレームとして縮小光学型スキャナと密着型スキャナとの双方の取付けが可能となる構成が採用される。
【０００９】
しかし、縮小光学型スキャナと密着型スキャナの双方が取付け可能な構成を採用した場合には、本体フレームとの取合上、上記ホルダ及び揺動フレームを上記支持軸の軸方向に移動させてから開閉機構の開閉を可能にする開閉機構を設けなければならないことがある。
【００１０】
図８、図９を用いてこれを詳細に説明する。まず、図８（ａ）、（ｂ）に縮小光学型スキャナ４０を本体フレーム１３に取付けた状態の平面図及び側面図を示す。本体フレーム１３には、カードリーダ側方に設けられた側板部１３ｂと、側板部１３ｂのカードリーダ後端側（図示左端側）端からカード搬送路に向かって略直角に延在する後方側板部１３ｃと、後方側板部１３ｃのカード搬送路側端からカード搬送方向と平行でカードリーダ先端側（カード挿入口側、図示右側）へ向かって延在し縮小光学型スキャナ４０を取り付ける取付部１３ａとが形成されている。縮小光学型スキャナ４０は、本体フレーム１３の取付部１３ａに図示を省略した板バネ等の固定手段により固定される。続いて、図９に密着型スキャナ５を本体フレーム１３に取付けた状態を示す。密着型スキャナ５は、開閉機構７を介して固定フレーム１３に取付けられる。開閉機構７は揺動フレーム１５とホルダ１６と係止手段１８とから構成され、揺動フレーム１５が本体フレーム１３に固定された支持軸１４により本体フレーム１３に揺動可能に取付けられる。
【００１１】
このように、共通の本体フレーム１３に縮小光学型スキャナ４０と密着型スキャナ５との双方が取付可能な構成とした場合、本体フレーム１３との取合上から、メンテナンス時に開閉機構７を開閉する際には図９に示されるように、取付部１３ａとホルダ１６とに干渉部（図９のＸ部）が生じる場合がある。そのため、係止手段１８の係止を解除した後に、揺動フレーム１５及びホルダ１６を、図９の矢印Ａに示される支持軸１４の軸方向（図示上方）に、取付部１３ａとホルダ１６とに干渉が生じない位置まで移動させて、開閉機構７の開閉が行われる。
【００１２】
しかしながら、上述の構成を採用した場合には、係止手段１８の係止を解除してからさらに手動で、揺動フレーム１５及びホルダ１６を、支持軸１４の軸方向に移動させてから開閉機構７の開閉を行なわなければならず、開閉機構７の開閉操作の操作性に難があった。
【００１３】
本発明は、上述の問題点を解決するためになされたもので、上記支持軸の軸方向に発生する密着型スキャナのがた付きを防止することで、画像データの読み取り性能を高めることができるカードリーダを提供することを目的とする。また、本発明は、縮小光学型スキャナと密着型スキャナとが取付可能な本体フレームが採用された場合でも、開閉機構の開閉操作の円滑な操作性を有するカードリーダを提供することを目的とする。
【課題を解決するための手段】
【００１４】
上記目的を達成するために、本発明にかかるカードリーダは、請求項１に記載のように、モータで駆動されるカード搬送手段によりカードがカード搬送路内を搬送されるカードリーダであって、搬送中のカード表面の模様を読み取る密着型スキャナと、その密着型スキャナを前記カードに密着するように加圧する加圧機構と、前記密着型スキャナ及び前記加圧機構を前記カード搬送路に対して近接・離間させる開閉機構とを備えるとともに、前記開閉機構は、前記カードの搬送方向と略直交方向で本体フレームに固定された支持軸によって前記本体フレームに揺動可能に取り付けられた揺動フレームと、その揺動フレームに固定され前記密着型スキャナを保持するホルダと、前記本体フレームに固定された固定フレームに前記ホルダ及び前記揺動フレームを係止する係止手段とを備えたカードリーダにおいて、前記ホルダまたは前記揺動フレームの少なくともいずれか一方を前記支持軸の軸方向へ付勢する付勢手段を有することを特徴とする。
【００１５】
本発明にかかるカードリーダは、上述のようにホルダまたは揺動フレームの少なくともいずれか一方を支持軸の軸方向へ付勢する付勢手段を有することから、上記付勢手段の付勢力によりホルダに固定された密着型スキャナを支持軸の軸方向に付勢して、支持軸の軸方向に生じる密着型スキャナのがた付きを防止することができる。従って、画像データの読み取り性能を高めることができる。
【００１６】
また、本発明にかかるカードリーダは、請求項２に記載のように、前記本体フレームは前記密着型スキャナ及び縮小光学型スキャナが取付可能に構成された共通フレームであり、前記係止手段による係止が解除された前記ホルダ及び前記揺動フレームを、前記支持軸の軸方向へ移動させることで、前記開閉機構が開閉可能となるように構成されているカードリーダであって、前記付勢手段は、前記開閉機構が開閉可能となる方向に前記ホルダまたは前記揺動フレームの少なくともいずれか一方を付勢するように構成されていることが好ましい。
【００１７】
本発明にかかるカードリーダにおいては、上述のように本体フレームを密着型スキャナ及び縮小光学型スキャナが取付可能に構成された共通フレームとすることで、共通フレームを用いて密着型スキャナ及び縮小光学型スキャナの両スキャナの取付が可能となり、カードリーダの製品コストを図ることが可能になる。その一方で、本体フレームを共通フレームとしていることから、開閉機構の開閉が可能となるようホルダ及び揺動フレームを支持軸の軸方向へ移動させる必要が生じる場合がある。この場合であっても、上述のように付勢手段は開閉機構が開閉可能となる方向にホルダまたは揺動フレームの少なくとも一方を付勢するように構成されていることから、係止手段の係止が解除されると付勢手段はホルダ及び揺動フレームを自動的に開閉機構が開閉可能となる方向に移動させる。従って、手動でホルダ及び揺動フレームを開閉可能な方向へ移動させる必要がなくなり、開閉機構の開閉操作の操作性が円滑になる。
【００１８】
さらに、本発明にかかるカードリーダは請求項３に記載のように、前記付勢手段は、前記支持軸に挿通された圧縮コイルバネであり、その圧縮コイルバネの最大圧縮位置で前記ホルダ及び前記揺動フレームが前記係止手段によって前記固定フレームに係止されるように構成されていることが好ましい。
【００１９】
本発明にかかるカードリーダでは上述のように、付勢手段が支持軸に挿通された圧縮コイルバネであり、その圧縮コイルバネの最大圧縮位置でホルダ及び揺動フレームが係止手段によって固定フレームに係止されるように構成することで、上記係止手段による係止時に、付勢手段である圧縮コイルバネによって、ホルダ及び揺動フレームを支持軸の軸方向に位置決めすることができる。従って、係止手段の係止操作が円滑に行われることになる。
【発明の効果】
【００２０】
以上のように本発明にかかるカードリーダは、ホルダまたは揺動フレームの少なくともいずれか一方を支持軸の軸方向へ付勢する付勢手段を有することから、支持軸の軸方向に生じる密着型スキャナのがた付きを防止することができる。従って、画像データの読み取り性能を高めることができる。
【００２１】
また、付勢手段が、開閉機構が開閉可能となる方向にホルダ及び揺動フレームを付勢するように構成した場合には、係止手段の係止が解除されると付勢手段はホルダ及び揺動フレームを自動的に開閉機構が開閉可能となる方向に移動させる。従って、手動でホルダ及び揺動フレームを開閉可能な方向へ移動させる必要がなくなり、開閉機構の開閉操作の操作性が円滑になる
【発明を実施するための最良の形態】
【００２２】
以下、本発明を図面に示す実施の形態に基づいて説明する。図１から図７に本発明を適用したカードリーダの実施形態の一例を示す。  
【００２３】
［カードリーダの概略構成］
図１は、本実施形態にかかるカードリーダを側面からみた構成概略図である。このカードリーダは、駆動モータ１で駆動されるカード搬送手段３によりカードとしてのＩＣカード４がカード搬送路２内を搬送されるもので、搬送中のＩＣカード４に形成されたエンボスを読み取る密着型スキャナ５と、この密着型スキャナ５をＩＣカード４に密着するように加圧する加圧機構６とを備えている。また、このカードリーダは、密着型スキャナ５及び加圧機構６をカード搬送路２に対して近接・離間する方向に移動可能な開閉機構７を有している。カード搬送手段３は、例えば４つの搬送ローラ対３４〜３７を備えている。
【００２４】
なお、密着型スキャナ５はＩＣカード４の表面に形成されたエンボス文字を読み取るものであるが、これに限るものではなく、ＩＣカード４等のカードの表面の模様等を読み取るものであっても良い。  
【００２５】
このカードリーダは、ＩＣカード４に設けられたＩＣ接点に接触してデータのリード・ライトを行う接触式のＩＣ接点ブロック８と、ＩＣカード４に設けられた磁気ストライプとの間でデータのリード・ライトを行う磁気ヘッド９を有している。なお、本実施形態では、密着型スキャナ５及び加圧機構６は、カードリーダの磁気処理・接触処理部１１の奥側の画像読み込み部１２に配置されている。
【００２６】
また、このカードリーダは、駆動モータ１の回転をカード搬送手段３に伝えるプーリ３８を有している。さらに、ＩＣカード４の挿入側には、カード挿入口３２と、ＩＣカード４の挿入を検出するプリヘッド３３が設けられている。
【００２７】
［画像読み込み部の構成］
図２、図３はそれぞれ、画像読み込み部１２を側面からみた構成概略図及び画像読み込み部１２の平面図である。
【００２８】
開閉機構７は、ＩＣカード４の搬送方向と略直交方向でカードリーダの本体フレーム１３に固定された支持軸１４によって揺動可能に取り付けられた揺動フレーム１５と、揺動フレーム１５に固定されたホルダ１６と、ホルダ１６を固定フレーム１７に係止する係止手段１８を備えて構成されている。ホルダ１６には、密着型スキャナ５が左右の押さえ板１９，２０によって固定されている。また、ホルダ１６の密着型スキャナ５の前後部分はカード搬送路２の上方を画する壁（以下、搬送路上側壁という）２１となっている。さらに、本実施形態では、ホルダ１６は樹脂成形されており、前後の搬送路上側壁２１も樹脂成形されている。また、前後の搬送路上側壁２１には、ＩＣカード４に形成されているエンボス文字を避けた位置にＩＣカード４と密着型スキャナ５との所定の間隔を確保するためのリブ２２が設けられている。本実施形態では、図４に示すように、前後の搬送路上側壁２１の左右両端と中央にリブ２２が形成されている。
【００２９】
係止手段１８は、摘み２３と、摘み２３に固定された軸２４と、軸２４をその径方向に貫通する止めピン２５を備えて構成されている。軸２４は揺動フレーム１５に設けられた孔２６を貫通し、止めピン２５によって抜け落ちるのを防止されている。ホルダ１６の孔２６の周囲部分の下面には、図５に示すように、止めピン２５を収容可能な窪み２７が設けられている。
【００３０】
図６に固定フレーム１７を示す。固定フレーム１７はカードリーダの本体フレーム１３に固定され、カード搬送路２の上方を画する壁を構成している。固定フレーム１７の係止手段１８に対向する位置には、図２に示すように、孔２８が設けられている。また、固定フレーム１７の上面には、孔２８を覆うように係止プレート２９が取り付けられており、係止プレート２９の孔２８に対向する位置には、軸２４の先端及び止めピン２５が通過可能な形状のスリット３０が設けられている。従って、軸２４を回転させて止めピン２５の位置をスリット３０の形状に合わせることで、軸２４の先端を孔２８に挿入したり孔２８から引き抜いたりすることが出来る。また、軸２４を回転させて止めピン２５の位置をスリット３０からずらしておくことで、孔２８内に挿入した軸２４の先端を孔２８から抜けないようにすることが出来る。
【００３１】
加圧機構６は、例えば係止手段１８の軸２４の周りに配置された圧縮コイルバネである。この加圧機構６は、摘み２３とホルダ１６の間に圧縮された状態で設けられ、ホルダ１６をカード搬送路２に向けて、即ち開閉機構７が開閉する方向に向けて押圧している。
【００３２】
本体フレーム１３には、従来と同様に、カードリーダ側方に設けられた側板部１３ｂと、側板部１３ｂのカードリーダ後端側（図示左端側）端からカード搬送路２に向かって略直角に延在する後方側板部１３ｃと、後方側板部１３ｃのカード搬送路２側端からカード搬送方向と平行でカードリーダ先端側（カード挿入口２２側、図示右側）へ向かって延在し縮小光学型スキャナ４０を取り付ける取付部１３ａとが形成されている。その取付部１３ａによって縮小光学型スキャナ４０の本体フレーム１３への取付が可能であり、また、支持軸１４と揺動フレーム１５とホルダ１６とを介して密着型スキャナ５の本体フレーム１３への取付が可能となっている。すなわち、本体フレーム１３は密着型スキャナ５と縮小光学型スキャナ４０とが取付可能に構成された共通フレームとなっている。
【００３３】
支持軸１４には、揺動フレーム１５を軸方向に付勢する付勢手段としての圧縮コイルバネ１０が挿通されている。図３においては、圧縮コイルバネ１０は揺動フレーム１５を図示上方へ付勢している。従って、係止手段１８によってホルダ１６及び揺動フレーム１５が固定フレーム１７に係止されているときは、上記圧縮コイルバネ１０の付勢力で、密着型スキャナ５の支持軸１４の軸方向のがた付きが防止されるようになっている。
【００３４】
また、圧縮コイルバネ１０は、その最大圧縮位置でホルダ１６及び揺動フレーム１５が係止手段１８によって固定フレーム１７に係止されるように構成されている。すなわち、揺動フレーム１５によって圧縮コイルバネ１０が最大圧縮されたとき、係止手段１８に設けられた軸２４を回転させることで止めピン２５の位置をスリット３０に合わすことができるように構成されている。
【００３５】
［カードリーダの概略動作］
このカードリーダのカード挿入口３２に差し込まれたＩＣカード４をプリヘッド３３が検出すると、駆動モータ１が回転しカード搬送手段３を駆動する。駆動モータ１の回転はプーリ３８に伝えられ、さらに搬送ローラ対３４に伝えられる。搬送ローラ対３４の回転は２つの搬送ローラ対３５，３６に伝えられ、さらに搬送ローラ対３５の回転は搬送ローラ対３７に伝えられる。
【００３６】
カード搬送手段３によってカードリーダ内に取り込まれたＩＣカード４が画像読み込み部１２まで搬送され密着型スキャナ５の下方を通過すると、この密着型スキャナ５によってＩＣカード４の表面の画像が読み込まれる。
【００３７】
ホルダ１６に取り付けられた密着型スキャナ５は加圧機構６によってカード搬送路２に向けて加圧されているので、リブ２２がＩＣカード４の表面に接触し、ＩＣカード４と密着型スキャナ５との間隔が一定に保持される。また、たとえＩＣカード４が湾曲していても、加圧機構６の加圧力によってＩＣカード４の湾曲が矯正され、あるいは湾曲を完全に矯正できない場合であっても加圧機構６であるコイルスプリングが縮むことで密着型スキャナ５がＩＣカード４の湾曲に応じて退くので、常にＩＣカード４と密着型スキャナ５との間隔が一定に保持される。また、密着型スキャナ５がＩＣカード４の湾曲に応じて退くので、たとえＩＣカード４が湾曲していても搬送中にジャムを発生することがない。
【００３８】
また、ＩＣカード４の表面の画像読み込み時には、圧縮コイルバネ１０により密着型スキャナ５は支持軸１４の軸方向に付勢されている。従って、ＩＣカード４の湾曲状態によっては画像読み込み時に生じ得るＩＣカード４からの支持軸１４の軸方向の力が、密着型スキャナ５にかかったとしても、密着型スキャナ５のがた付きを防止することができる。
【００３９】
［開閉機構の開閉操作］
密着型スキャナ５をメンテナンスする場合等には、係止手段１８を固定フレーム１７から外して開閉機構７を開ければ良い。係止手段１８の摘み２３を回転させて止めピン２５の位置を係止プレート２９のスリット３０の形状に合わせることで、軸２４の先端を固定フレーム１７の孔２８から引き抜くことが出来る。
【００４０】
軸２４の先端を引き抜いてホルダ１６及び揺動フレーム１５を支持軸１４まわりに持ち上げることで開閉機構７が開き、密着型スキャナ５の読み取り面を上に向けることができてメンテナンスし易くなる。ここで、本実施形態における本体フレーム１３は、従来と同様に密着型スキャナ５と縮小光学型スキャナ４０とが取付可能に構成された共通フレームとなっており、軸２４の先端を引き抜いた状態でホルダ１６及び揺動フレーム１５を支持軸１４まわりにそのまま持ち上げると、本体フレーム１３の取付部１３ａとホルダ１６とに干渉部（図３のＸ部）が生じる。従って、係止手段１８の係止を解除した後に、ホルダ１６及び揺動フレーム１５を支持軸１４の軸方向（図３の上方向）へ干渉部が生じない位置まで移動させてからホルダ１６及び揺動フレーム１５を支持軸１４まわりに持ち上げることになる。
【００４１】
本実施形態においては、圧縮コイルバネ１０は、揺動フレーム１５を支持軸１４の軸方向（図３の上方向）に付勢している。すなわち、圧縮コイルバネ１０は、ホルダ１６と揺動フレーム１５と係止手段１８とから構成される開閉機構７が開閉可能となる方向に揺動フレーム１５を付勢している。従って、軸２４の先端を固定フレーム１７の孔２８から引き抜くと、図７の矢印Ｂに示される図示上方へ取付部１３ａとホルダ１６との間で干渉が生じない位置まで揺動フレーム１５が自動的に移動させられる。そのため、係止手段１８の係止を解除してからさらに手動で揺動フレーム１５及びホルダ１６を、支持軸１４の軸方向に移動させる必要はない。
【００４２】
なお、軸２４の先端を固定フレーム１７の孔２８から引き抜くと加圧機構６の加圧力が軸２４を孔２６から引き抜こうとするが、ホルダ１６に設けられた窪み２７に止めピン２５が入り込んで引っ掛かり、軸２４が抜け落ちるのを防止する。
【００４３】
密着型スキャナ５のメンテナンスを行った後、開閉機構７を閉じる。ホルダ１６及び揺動フレーム１５を支持軸１４まわりに降ろし、係止手段１８によって固定フレーム１７に係止する。係止手段１８の止めピン２５の位置をスリット３０の形状に合わせることで軸２４の先端を固定フレーム１７の孔２８内に挿入することができる。そして、摘み２３を回転させて止めピン２５の位置をスリット３０からずらすことで、軸２４の先端が固定フレーム１７の孔２８から抜けなくなり、係止手段１８によってホルダ１６及び揺動フレーム１５が固定フレーム１７に係止される。
【００４４】
ここで、本実施形態では、圧縮コイルバネ１０が最大圧縮されたとき、係止手段１８の止めピン２５の位置をスリット３０の形状に合わすことができるように構成されている。従って、揺動フレーム１５により圧縮コイルバネ１０を支持軸１４の軸方向へいっぱいに押し付けた状態で、係止手段１８によりホルダ１６及び揺動フレーム１５が固定フレーム１７に係止される。
【００４５】
［本実施形態の効果］
本実施形態におけるカードリーダは上述のように、揺動フレーム１５を支持軸１４の軸方向へ付勢する付勢手段である圧縮コイルバネ１０を備えているから、ＩＣカード４の湾曲状態によっては画像読み込み時に生じ得るＩＣカード４からの支持軸１４の軸方向の力が密着型スキャナ５にかかったとしても、密着型スキャナ５のがた付きを防止することができる。従って、画像データの読み取り性能を高めることができる。
【００４６】
また、揺動フレーム１５は、開閉機構７の開閉操作が可能となる方向に圧縮コイルバネ１０により付勢されている。従って、軸２４の先端を固定フレーム１７の孔２８から引き抜くと、ホルダ１６及び揺動フレーム１５は、開閉機構７の開閉操作が可能な位置まで自動的に移動させられる。そのため、手動でホルダ１６及び揺動フレーム１５を開閉機構７の開閉操作が可能な位置まで移動させる必要がなくなり、開閉機構７の開閉操作が円滑になる。
【００４７】
さらに、本実施形態では、圧縮コイルバネ１０が最大圧縮されたとき、係止手段１８の止めピン２５の位置をスリット３０の形状に合わすことができるように構成されている。従って、係止手段１８の係止時に圧縮コイルバネ１０を位置決め手段として用いることができる。そのため、係止手段１８の係止動作が円滑に行われることになる。
【００４８】
［他の実施の形態］
上述した実施の形態は本発明の好適な形態の一例ではあるが、これに限定されるものではなく本発明の要旨を逸脱しない範囲において種々変形実施可能である。例えば、上述の実施形態では付勢手段として圧縮コイルバネを用いたが、付勢手段は、必ずしも圧縮コイルバネである必要はない。例えば、板バネ、引張りコイルバネを付勢手段として用いても良い。
【００４９】
また、上述の実施形態では付勢手段により揺動フレームを支持軸の軸方向に付勢したが、ホルダを付勢手段で支持軸の軸方向に付勢しても良い。さらに、揺動フレームとホルダの双方を付勢手段で支持軸の軸方向に付勢しても良い。
【００５０】
また、上述の実施形態では、圧縮コイルバネを係止手段による係止時の揺動フレームの位置決め手段として用いたが、位置決め手段は必ずしも設ける必要はなく、また、別部材を用いて位置決め手段を設けても良い。
【００５１】
さらに、上述の実施形態では、接触式のＩＣ接点ブロック８を備えるカードリーダを例にしたが、必ずしもこのタイプのカードリーダに限るものではない。磁気ヘッド９を有していないカードリーダや、逆にＩＣ接点ブロック８を有していないカードリーダに適用しても良い。すなわち、搬送されるカードは、ＩＣカードには限られず、磁気カードや免許証等のカードであっても良い。
【図面の簡単な説明】
【００５２】
【図１】本発明を適用したカードリーダの実施形態の一例を示し、その側面からみた構成概略図である。
【図２】同カードリーダの画像読み込み部を拡大して示す構成概略図である。
【図３】同カードリーダの画像読み込み部の平面図である。
【図４】同カードリーダのホルダに設けられたリブを示す図である。
【図５】同カードリーダのホルダを示す平面図である。
【図６】同カードリーダの固定フレームを示す平面図である。
【図７】同カードリーダの開閉機構が開閉可能な位置に揺動フレームが移動させられた状態における画像読み込み部の平面図である。
【図８】（ａ）、（ｂ）はそれぞれ、従来技術にかかるカードリーダの、縮小光学型スキャナが取付けられた状態における画像読み込み部の平面図、側面図である。
【図９】従来技術にかかるカードリーダの、密着型スキャナが取付けられた状態における画像取り込み部の平面図である。
【符号の説明】
【００５３】
１    駆動モータ
２    カード搬送路
３    カード搬送手段
４    ＩＣカード
５    密着型スキャナ
６    加圧機構
７    開閉機構
１０  圧縮コイルバネ（付勢手段）  
１３  本体フレーム
１４  支持軸
１５  揺動フレーム
１６  ホルダ
１７  固定フレーム
１８  係止手段
４０  縮小光学型スキャナ
【図１】
2005027205.tif 000003
【図２】
2005027205.tif 000004
【図３】
2005027205.tif 000005
【図４】
2005027205.tif 000006
【図５】
2005027205.tif 000007
【図６】
2005027205.tif 000008
【図７】
2005027205.tif 000009
【図８】
2005027205.tif 000010
【図９】
2005027205.tif 000011